【手続補正書】
【提出日】平成26年8月26日(2014.8.26)
【手続補正１】
【補正対象書類名】特許請求の範囲
【補正対象項目名】全文
【補正方法】変更
【補正の内容】
【特許請求の範囲】
【請求項１】
複数のシート保持部を備える印刷装置であって、
前記複数のシート保持部のそれぞれに対応付けて、各シート保持部に保持されるシートの属性情報を記憶する記憶手段と、
前記複数のシート保持部に含まれる特定のシート保持部に対応付けて記憶された属性情報を変更する変更手段と、
前記変更手段による変更の結果、前記複数のシート収納部に保持されるシートの種類が減少するか否かを判定する判定手段と、
前記判定手段が前記複数のシート収納部に保持されるシートの種類が減少すると判定したことに基づき、ユーザに対して所定の通知を行う通知手段と、
を備えることを特徴とする印刷装置。
【請求項２】
複数のシート保持部を備える印刷装置であって、
前記複数のシート保持部のそれぞれに対応付けて、各シート保持部に保持されるシートの属性情報を記憶する記憶手段と、
前記複数のシート保持部に含まれる特定のシート保持部に対応付けて記憶された属性情報を変更する変更手段と、
前記変更手段による変更の結果、前記複数のシート収納部に保持されるシートの種類が増加するか否かを判定する判定手段と、
前記判定手段が前記複数のシート収納部に保持されるシートの種類が増加すると判定したことに基づき、ユーザに対して所定の通知を行う通知手段と、
を備えることを特徴とする印刷装置。
【請求項３】
複数のシート保持部を備える印刷装置であって、
前記複数のシート保持部のそれぞれに対応付けて、各シート保持部に保持されるシートの属性情報を記憶する記憶手段と、
前記複数のシート保持部に含まれる特定のシート保持部に対応付けて記憶された属性情報を変更する変更手段と、
前記変更手段による変更の結果、変更前の属性情報が示す種類のシートを保持するシート保持部が２つから１つになるか否かを判定する判定手段と、
前記判定手段が変更前の属性情報が示す種類のシートを保持するシート保持部が２つから１つになると判定したことに基づき、ユーザに対して所定の通知を行う通知手段と、
を備えることを特徴とする印刷装置。
【請求項４】
複数のシート保持部を備え、２つ以上のシート保持部を１つのグループとして設定可能な印刷装置であって、
前記複数のシート保持部のそれぞれに対応付けて、各シート保持部に保持されるシートの属性情報を記憶する記憶手段と、
前記複数のシート保持部に含まれる特定のシート保持部に対応付けて記憶された属性情報を変更する変更手段と、
前記変更手段による変更の結果、前記特定のシート保持部が属するグループ内のシート収納部に保持されるシートの種類が減少するか否かを判定する判定手段と、
前記判定手段が前記特定のシート保持部が属するグループ内のシート収納部に保持されるシートの種類が減少すると判定したことに基づき、ユーザに対して所定の通知を行う通知手段と、
を備えることを特徴とする印刷装置。
【請求項５】
複数のシート保持部を備え、２つ以上のシート保持部を１つのグループとして設定可能な印刷装置であって、
前記複数のシート保持部のそれぞれに対応付けて、各シート保持部に保持されるシートの属性情報を記憶する記憶手段と、
前記複数のシート保持部に含まれる特定のシート保持部に対応付けて記憶された属性情報を変更する変更手段と、
前記変更手段による変更の結果、前記特定のシート保持部が属するグループ内のシート収納部に保持されるシートの種類が増加するか否かを判定する判定手段と、
前記判定手段が前記特定のシート保持部が属するグループ内のシート収納部に保持されるシートの種類が増加すると判定したことに基づき、ユーザに対して所定の通知を行う通知手段と、
を備えることを特徴とする印刷装置。
【請求項６】
複数のシート保持部を備え、２つ以上のシート保持部を１つのグループとして設定可能な印刷装置であって、
前記複数のシート保持部のそれぞれに対応付けて、各シート保持部に保持されるシートの属性情報を記憶する記憶手段と、
前記複数のシート保持部に含まれる特定のシート保持部に対応付けて記憶された属性情報を変更する変更手段と、
前記変更手段による変更の結果、前記特定のシート保持部が属するグループにおいて、変更前の属性情報が示す種類のシートを保持するシート保持部が２つから１つになるか否かを判定する判定手段と、
前記判定手段が変更前の属性情報が示す種類のシートを保持するシート保持部が２つから１つになると判定したことに基づき、ユーザに対して所定の通知を行う通知手段と、
を備えることを特徴とする印刷装置。
【請求項７】
前記複数のシート保持部に含まれる第１のシート保持部から給送されるシートを用いて印刷を行っているときに、当該第１のシート保持部からのシートの給送が不可能になると、前記記憶手段に記憶された情報に基づき、当該第１のシート保持部と同じ属性情報が対応付けられている第２のシート保持部に切り替えてシートを給送し、印刷を継続させる給送制御手段を更に備えることを特徴とする請求項１乃至６のいずれか１項に記載の印刷装置。
【請求項８】
前記通知手段による通知を行うか否かを設定する設定手段を更に備えることを特徴とする請求項１乃至７のいずれか１項に記載の印刷装置。
【請求項９】
複数のシート保持部を備える印刷装置の制御方法であって、
前記複数のシート保持部のそれぞれに対応付けて、各シート保持部に保持されるシートの属性情報を記憶する記憶工程と、
前記複数のシート保持部に含まれる特定のシート保持部に対応付けて記憶された属性情報を変更する変更工程と、
前記変更工程における変更の結果、前記複数のシート収納部に保持されるシートの種類が減少するか否かを判定する判定工程と、
前記判定工程で前記複数のシート収納部に保持されるシートの種類が減少すると判定されたことに基づき、ユーザに対して所定の通知を行う通知工程と、
を備えることを特徴とする印刷装置の制御方法。
【請求項１０】
複数のシート保持部を備える印刷装置の制御方法であって、
前記複数のシート保持部のそれぞれに対応付けて、各シート保持部に保持されるシートの属性情報を記憶する記憶工程と、
前記複数のシート保持部に含まれる特定のシート保持部に対応付けて記憶された属性情報を変更する変更工程と、
前記変更工程における変更の結果、前記複数のシート収納部に保持されるシートの種類が増加するか否かを判定する判定工程と、
前記判定工程で前記複数のシート収納部に保持されるシートの種類が増加すると判定されたことに基づき、ユーザに対して所定の通知を行う通知工程と、
を備えることを特徴とする印刷装置の制御方法。
【請求項１１】
複数のシート保持部を備える印刷装置の制御方法であって、
前記複数のシート保持部のそれぞれに対応付けて、各シート保持部に保持されるシートの属性情報を記憶する記憶工程と、
前記複数のシート保持部に含まれる特定のシート保持部に対応付けて記憶された属性情報を変更する変更工程と、
前記変更工程における変更の結果、変更前の属性情報が示す種類のシートを保持するシート保持部が２つから１つになるか否かを判定する判定工程と、
前記判定工程で変更前の属性情報が示す種類のシートを保持するシート保持部が２つから１つになると判定されたことに基づき、ユーザに対して所定の通知を行う通知工程と、
を備えることを特徴とする印刷装置の制御方法。
【請求項１２】
複数のシート保持部を備え、２つ以上のシート保持部を１つのグループとして設定可能な印刷装置の制御方法であって、
前記複数のシート保持部のそれぞれに対応付けて、各シート保持部に保持されるシートの属性情報を記憶する記憶工程と、
前記複数のシート保持部に含まれる特定のシート保持部に対応付けて記憶された属性情報を変更する変更工程と、
前記変更工程における変更の結果、前記特定のシート保持部が属するグループ内のシート収納部に保持されるシートの種類が減少するか否かを判定する判定工程と、
前記判定工程で前記特定のシート保持部が属するグループ内のシート収納部に保持されるシートの種類が減少すると判定されたことに基づき、ユーザに対して所定の通知を行う通知工程と、
を備えることを特徴とする印刷装置の制御方法。
【請求項１３】
複数のシート保持部を備え、２つ以上のシート保持部を１つのグループとして設定可能な印刷装置の制御方法であって、
前記複数のシート保持部のそれぞれに対応付けて、各シート保持部に保持されるシートの属性情報を記憶する記憶工程と、
前記複数のシート保持部に含まれる特定のシート保持部に対応付けて記憶された属性情報を変更する変更工程と、
前記変更工程における変更の結果、前記特定のシート保持部が属するグループ内のシート収納部に保持されるシートの種類が増加するか否かを判定する判定工程と、
前記判定工程で前記特定のシート保持部が属するグループ内のシート収納部に保持されるシートの種類が増加すると判定されたことに基づき、ユーザに対して所定の通知を行う通知工程と、
を備えることを特徴とする印刷装置の制御方法。
【請求項１４】
複数のシート保持部を備え、２つ以上のシート保持部を１つのグループとして設定可能な印刷装置の制御方法であって、
前記複数のシート保持部のそれぞれに対応付けて、各シート保持部に保持されるシートの属性情報を記憶する記憶工程と、
前記複数のシート保持部に含まれる特定のシート保持部に対応付けて記憶された属性情報を変更する変更工程と、
前記変更工程における変更の結果、前記特定のシート保持部が属するグループにおいて、変更前の属性情報が示す種類のシートを保持するシート保持部が２つから１つになるか否かを判定する判定工程と、
前記判定工程で変更前の属性情報が示す種類のシートを保持するシート保持部が２つから１つになると判定されたことに基づき、ユーザに対して所定の通知を行う通知工程と、
を備えることを特徴とする印刷装置の制御方法。
【請求項１５】
コンピュータを請求項１乃至８のいずれか１項に記載の印刷装置の各手段として機能させるためのプログラム。
【手続補正２】
【補正対象書類名】明細書
【補正対象項目名】発明の名称
【補正方法】変更
【補正の内容】
【発明の名称】印刷装置、印刷装置の制御方法、及びプログラム
【手続補正３】
【補正対象書類名】明細書
【補正対象項目名】０００７
【補正方法】変更
【補正の内容】
【０００７】
本発明は、上記の課題を解決するためになされたものである。本発明の目的は、シート保持部に対応付けて記憶されたシートの属性情報が変更される場合に、状況に応じて適切にユーザに通知できる仕組みを提供することである。
【手続補正４】
【補正対象書類名】明細書
【補正対象項目名】０００８
【補正方法】変更
【補正の内容】
【０００８】
上記目的を達成する本発明の印刷装置は、複数のシート保持部を備える印刷装置であって、前記複数のシート保持部のそれぞれに対応付けて、各シート保持部に保持されるシートの属性情報を記憶する記憶手段と、前記複数のシート保持部に含まれる特定のシート保持部に対応付けて記憶された属性情報を変更する変更手段と、前記変更手段による変更の結果、前記複数のシート収納部に保持されるシートの種類が減少するか否かを判定する判定手段と、前記判定手段が前記複数のシート収納部に保持されるシートの種類が減少すると判定したことに基づき、ユーザに対して所定の通知を行う通知手段と、を備えることを特徴とする。
また、本発明の印刷装置は、複数のシート保持部を備える印刷装置であって、前記複数のシート保持部のそれぞれに対応付けて、各シート保持部に保持されるシートの属性情報を記憶する記憶手段と、前記複数のシート保持部に含まれる特定のシート保持部に対応付けて記憶された属性情報を変更する変更手段と、前記変更手段による変更の結果、前記複数のシート収納部に保持されるシートの種類が増加するか否かを判定する判定手段と、前記判定手段が前記複数のシート収納部に保持されるシートの種類が増加すると判定したことに基づき、ユーザに対して所定の通知を行う通知手段と、を備えることを特徴とする。
また、本発明の印刷装置は、複数のシート保持部を備える印刷装置であって、前記複数のシート保持部のそれぞれに対応付けて、各シート保持部に保持されるシートの属性情報を記憶する記憶手段と、前記複数のシート保持部に含まれる特定のシート保持部に対応付けて記憶された属性情報を変更する変更手段と、前記変更手段による変更の結果、変更前の属性情報が示す種類のシートを保持するシート保持部が２つから１つになるか否かを判定する判定手段と、前記判定手段が変更前の属性情報が示す種類のシートを保持するシート保持部が２つから１つになると判定したことに基づき、ユーザに対して所定の通知を行う通知手段と、を備えることを特徴とする。
また、本発明の印刷装置は、複数のシート保持部を備え、２つ以上のシート保持部を１つのグループとして設定可能な印刷装置であって、前記複数のシート保持部のそれぞれに対応付けて、各シート保持部に保持されるシートの属性情報を記憶する記憶手段と、前記複数のシート保持部に含まれる特定のシート保持部に対応付けて記憶された属性情報を変更する変更手段と、前記変更手段による変更の結果、前記特定のシート保持部が属するグループ内のシート収納部に保持されるシートの種類が減少するか否かを判定する判定手段と、前記判定手段が前記特定のシート保持部が属するグループ内のシート収納部に保持されるシートの種類が減少すると判定したことに基づき、ユーザに対して所定の通知を行う通知手段と、を備えることを特徴とする。
また、本発明の印刷装置は、複数のシート保持部を備え、２つ以上のシート保持部を１つのグループとして設定可能な印刷装置であって、前記複数のシート保持部のそれぞれに対応付けて、各シート保持部に保持されるシートの属性情報を記憶する記憶手段と、前記複数のシート保持部に含まれる特定のシート保持部に対応付けて記憶された属性情報を変更する変更手段と、前記変更手段による変更の結果、前記特定のシート保持部が属するグループ内のシート収納部に保持されるシートの種類が増加するか否かを判定する判定手段と、前記判定手段が前記特定のシート保持部が属するグループ内のシート収納部に保持されるシートの種類が増加すると判定したことに基づき、ユーザに対して所定の通知を行う通知手段と、を備えることを特徴とする。
また、本発明の印刷装置は、複数のシート保持部を備え、２つ以上のシート保持部を１つのグループとして設定可能な印刷装置であって、前記複数のシート保持部のそれぞれに対応付けて、各シート保持部に保持されるシートの属性情報を記憶する記憶手段と、前記複数のシート保持部に含まれる特定のシート保持部に対応付けて記憶された属性情報を変更する変更手段と、前記変更手段による変更の結果、前記特定のシート保持部が属するグループにおいて、変更前の属性情報が示す種類のシートを保持するシート保持部が２つから１つになるか否かを判定する判定手段と、前記判定手段が変更前の属性情報が示す種類のシートを保持するシート保持部が２つから１つになると判定したことに基づき、ユーザに対して所定の通知を行う通知手段と、を備えることを特徴とする。
【手続補正５】
【補正対象書類名】明細書
【補正対象項目名】０００９
【補正方法】変更
【補正の内容】
【０００９】
本発明によればシート保持部に対応付けて記憶されたシートの属性情報が変更される場合に、状況に応じて適切にユーザに通知できる。